(57)【要約】【課題】利用者自身が能動的に楽しむことができる要素を備えた写真立てを提供する。【解決手段】印刷されたシート本体４を加工することによって三角柱状に形成される写真プリントＰを飾る写真立て１である。  そして、写真プリントの縁部（Ｐ１，Ｐ２）が挿し込まれる枠部３が設けられる写真側部１１と、表面にシール部２が設けられるシール側部１２と、写真側部とシール側部とを繋ぐ底面部１３とを備えている。  ここで、シール部は、少なくとも表面側に印刷が施された基面領域４１及びシール面４２２が積層されるとともに、シール面はシール片部２１とその周囲のシール枠部２２とによって形成される。【選択図】図１
2016049278.tif 000002
【特許請求の範囲】
【請求項１】
印刷されたシート本体を加工することによって三角柱状に形成される写真プリントを飾る写真立てであって、
前記写真プリントの縁部が挿し込まれる枠部が設けられる第１側面部と、
表面に剥離部が設けられる第２側面部と、
前記第１側面部と前記第２側面部とを繋ぐ底面部とを備え、
前記剥離部は、シール又は扉状に形成されることを特徴とする写真立て。
【請求項２】
前記剥離部はシールであって、
前記第２側面部には、少なくとも表面側に印刷が施された基面及びシール面が積層されるとともに、
前記シール面はシール片部とその周囲のシール枠部とによって形成され、前記基面は前記シール面によって覆われることを特徴とする請求項１に記載の写真立て。
【請求項３】
請求項１又は２に記載の写真立ての製作方法であって、
前記シート本体に少なくとも前記枠部及び前記剥離部となる印刷を施す工程と、
前記シート本体の上面の所定の範囲に所定の接着剤を塗布する工程と、
前記シート本体を、前記第１側面部及び第２側面部の基面となる基面領域と、前記第１側面部及び第２側面部の表面並びに底面部となる表面領域と、前記枠部となる枠部領域とに断裁する工程と、
前記基面領域の上に前記表面領域を貼り合わせ、前記表面領域の前記第１側面部側に前記枠部領域を貼り合わせる工程と、
前記第２側面部側の前記表面領域及び前記枠部領域を切り込む工程とを備えたことを特徴とする写真立ての製作方法。
【発明の詳細な説明】
【技術分野】
【０００１】
本発明は、写真プリントを飾るための写真立て及びその製作方法に関するものである。
【背景技術】
【０００２】
特許文献１，２に示すように、封書やはがきとして使用できるうえに、写真立てにもすることができる紙製品が知られている。例えば特許文献１の写真プリント収納袋は、複数枚の写真プリントを封書によって郵送できるだけでなく、展開された封書に写真プリントの縁部を挿し込むことで、写真プリントを立てて飾ることができるようになっている。
【０００３】
また、特許文献２に開示された葉書写真立ては、葉書の裏面に写真プリントを貼り付けて、透明樹脂フィルムで覆った状態で郵送できる構成として開示されている。
【先行技術文献】
【特許文献】
【０００４】
【特許文献１】特開２００６−３４１０号公報
【特許文献２】特開２００６−１５７１４号公報
【発明の概要】
【発明が解決しようとする課題】
【０００５】
しかしながら特許文献１，２に開示された写真立ては、機能性には優れているが、利用者自身が能動的に楽しめるような工夫がなされたものではない。
【０００６】
そこで、本発明は、利用者自身が能動的に楽しむことができる要素を備えた写真立て、及びその製作方法を提供することを目的としている。
【課題を解決するための手段】
【０００７】
前記目的を達成するために、本発明の写真立ては、印刷されたシート本体を加工することによって三角柱状に形成される写真プリントを飾る写真立てであって、前記写真プリントの縁部が挿し込まれる枠部が設けられる第１側面部と、表面に剥離部が設けられる第２側面部と、前記第１側面部と前記第２側面部とを繋ぐ底面部とを備え、前記剥離部は、シール又は扉状に形成されることを特徴とする。
【０００８】
ここで、前記剥離部はシールであって、前記第２側面部には、少なくとも表面側に印刷が施された基面及びシール面が積層されるとともに、前記シール面はシール片部とその周囲のシール枠部とによって形成され、前記基面は前記シール面によって覆われる構成とすることができる。
【０００９】
また、本発明の写真立ての製作方法は、前記シート本体に少なくとも前記枠部及び前記剥離部となる印刷を施す工程と、前記シート本体の上面の所定の範囲に所定の接着剤を塗布する工程と、前記シート本体を、前記第１側面部及び第２側面部の基面となる基面領域と、前記第１側面部及び第２側面部の表面並びに底面部となる表面領域と、前記枠部となる枠部領域とに断裁する工程と、前記基面領域の上に前記表面領域を貼り合わせ、前記表面領域の前記第１側面部側に前記枠部領域を貼り合わせる工程と、前記第２側面部側の前記表面領域及び前記枠部領域を切り込む工程とを備えたことを特徴とする。
【発明の効果】
【００１０】
このように構成された本発明の写真立ては、写真プリントを飾る面となる第１側面部の他に、シール又は扉状に形成される剥離部が設けられた第２側面部を備えている。
【００１１】
このため、利用者は、シールを捲って写真プリントの周囲の枠部に貼ったり、扉状の剥離部を捲ったりして、写真プリントを飾るだけでなく、能動的に楽しむことができる。
【００１２】
また、表面側に印刷が施された基面の上に印刷が施されたシール面が積層されていれば、シール片部やシール枠部を捲る前には、シール面の絵図等を楽しむことができる。さらに、シール片部やシール枠部を捲ると、基面の絵図等が新たに現れて楽しむことができる。
【００１３】
特に、シール枠部のみを捲ると、基面の絵図等の上にシール片部が貼り付けられた状態となり、最初のシール枠部との組み合わせとは異なる組み合わせを楽しむことができる。
【００１４】
また、シート本体を印刷する工程の延長線上で、シート本体を断裁して貼り合わせることで、剥離部を一体に備えた写真立てを容易に製作することができる。
【図面の簡単な説明】
【００１５】
【図１】本実施の形態の写真立ての構成を説明する図であって、（ａ）は写真側部を示した斜視図、（ｂ）はシール側部を示した斜視図である。
【図２】本実施の形態の写真立ての製作方法に使用されるシート本体の構成を説明する図であって、（ａ）は上面側を示した図、（ｂ）は下面側を示した図である。
【図３】断裁されたシート本体を貼り合わせる工程を説明する図であって、（ａ）は平面図、（ｂ）は模式的に示した側面図、（ｃ）は底面部を貼り合わせる工程の説明図である。
【図４】写真立ての使用方法を説明する斜視図である。
【図５】実施例の写真立ての扉状部の構成を説明する斜視図である。
【図６】実施例の写真立ての製作方法に使用されるシート本体の主な構成を説明する平面図である。
【図７】実施例の断裁されたシート本体を貼り合わせた状態を説明する平面図である。
【発明を実施するための形態】
【００１６】
以下、本発明の実施の形態について図面を参照して説明する。図１は、本実施の形態の写真立て１の構成を説明する説明図である。また、図２，３は、本実施の形態の写真立て１の製作方法について説明する図である。
【００１７】
本実施の形態の写真立て１は、両面に印刷が施されたシート本体４を加工することによって、図１に示すように横向きに置かれた内部が空洞の三角柱状（三角筒）に形成される。
【００１８】
この写真立て１は、図１(ａ)に示すように写真プリントＰを飾る面となる第１側面部としての写真側部１１と、図１(ｂ)に示すように剥離部としてのシール部２が設けられる第２側面部としてのシール側部１２と、写真側部１１とシール側部１２とを繋ぐ底面部１３とを備えている。
【００１９】
写真側部１１には、写真プリントＰの縁部となる側縁Ｐ１，Ｐ１及び下縁Ｐ２が挿し込まれる枠部３が設けられる。この枠部３は、写真側部１１の長方形の表面の両側縁に沿って設けられる側枠３１，３１と、それらの下端間を繋ぐ下枠３２とによって、略Ｕ字状に形成される。
【００２０】
そして、写真プリントＰの側縁Ｐ１，Ｐ１はそれぞれ側枠３１，３１に挿し込まれ、下縁Ｐ２は下枠３２に挿し込まれる。
【００２１】
一方、シール側部１２の表面は、複数のシール片部２１，・・・と、それらの周囲のシール枠部２２とによって主に構成される。シール片部２１には、図４に示すように、表面２１ａ及び裏面２１ｂの両面に印刷が施される。
【００２２】
また、シール枠部２２には、図１(ｂ)に示すように、右上隅にその位置から剥離できることを示す目印２２１が印刷されている。また、シール枠部２２には、様々な絵図２２２，・・・が印刷されている。
【００２３】
このような写真立て１は、図２に示すような１枚の長方形のシート本体４から製作することができる。本実施の形態のシート本体４は、ロール紙を断裁することによって形成されるが、これに限定されるものではなく、合成樹脂などのシート、膜、薄板など、厚みが薄い面状材であればよい。
【００２４】
シート本体４の上面４ａ（図２（ａ））及び下面４ｂ（図２（ｂ））の両面には、絵図や図柄などの図、説明やコメントなどの文字情報等の印刷が所定の範囲に施される。図２，３では、それらの印刷の図示は省略されている。
【００２５】
このシート本体４には、図２の左側から、写真側部１１及びシール側部１２の表面並びに底面部１３となる表面領域４２と、写真側部１１及びシール側部１２の基面となる基面領域４１と、枠部３となる枠部領域４３とが形成される。
【００２６】
シート本体４は、断裁線４４ａ，・・・において断裁されて、これらの３つの領域（４１，４２，４３）に切り離される。なお、領域（４２，４１）、（４１，４３）間には、断裁誤差を考慮してそれぞれ除去部４４，４４が介在されている。
【００２７】
基面領域４１は、写真側部１１及びシール側部１２に厚みを持たせる基板となる。すなわち基面領域４１は、写真側部１１側は接着層５２の対峙面５２ａとなり、シール側部１２側は粘着層５１の対峙面５１ａとなって二層構造を形成する。
【００２８】
ここで接着層５２は、接着剤を塗布することによって形成される。この接着剤には、接着力の強い材料が使用される。一方、粘着層５１は、シール用の粘着剤を塗布することによって形成される。この粘着剤には、例えばアクリル系粘着剤などの不溶性の糊が使用される。
【００２９】
そして、基面領域４１は、折目線４５Ａで山折りにされて、図１に示すように三角筒の写真立て１の空洞の内側に貼り付けられる。
【００３０】
これに対して表面領域４２には、基面領域４１の上に重ねられる支持面４２１及びシール面４２２と、底面部１３となる底面４２３及び重ね面４２４とが形成される。
【００３１】
シート本体４の上面４ａ側においては、図２(ａ)に示すように、支持面４２１には接着層５２が設けられ、シール面４２２には粘着層５１が設けられる。また、表面領域４２には、４箇所に折目線４５Ｂ−４５Ｅが設けられる。さらに、枠部領域４３は、枠部３が設けられる層となる。
【００３２】
シート本体４の下面４ｂ側においては、図２(ｂ)に示すように、枠部領域４３に枠部３の形状に合わせた接着層５３が設けられる。この接着層５３は、枠部３の幅から写真プリントＰを挿し込ませる縁部(Ｐ１，Ｐ２)の幅を引いた幅となる。そして、支持面４２１の対峙面５３ａが、その接着層５３に貼り合わされる。
【００３３】
次に、図２，３を参照しながら本実施の形態の写真立て１の製作方法について説明する。
【００３４】
まず、ロール紙から紙片を引き出し、両面印刷機（図示せず）によってシート本体４の上面４ａ及び下面４ｂの両面に印刷を行う。すなわち、各領域４１−４３において絵図や図柄や文字情報などの必要な印刷は、この工程ですべて行う。
【００３５】
印刷が行われる範囲を詳細に説明すると、図２（ａ）に示した上面４ａにおいては、基面領域４１の対峙面５１ａと、枠部領域４３の枠部３として残る部分と、表面領域４２の粘着層５１の下地となる面である。
【００３６】
対峙面５１ａの印刷は、シール片部２１やシール枠部２２を剥がしたときに現れる基面印刷部２３となる。また、枠部領域４３の印刷は、図柄や単色の印刷となる。さらに、粘着層５１の下地の印刷は、シール片部２１の裏面２１ｂ（図４参照）の印刷となる。
【００３７】
一方、図２（ｂ）に示した下面４ｂにおいては、表面領域４２の支持面４２１及びシール面４２２と、基面領域４１とが印刷範囲となる。この下面４ｂ側の基面領域４１は、三角筒の空洞の内周面となって露出するため、図柄などが印刷される。
【００３８】
また、支持面４２１には、写真立て１の利用方法などの文字情報が、写真プリントＰに隠れる部分に印刷される。さらに、シール面４２２には、シール片部２１の表面２１ａ及びシール枠部２２の絵図２２２などが印刷される。
【００３９】
印刷後に、リワインダー装置（図示せず）によって巻き取られた紙片をオフライン加工機（図示せず）にセットし、再び引き出された印刷済みの紙片（シート本体４）に対して、図２（ａ）に示すように、上面４ａの表面領域４２のシール面４２２の範囲に粘着剤を塗布して粘着層５１を形成する。さらに、表面領域４２の支持面４２１の範囲に接着剤を塗布して接着層５２を形成する。
【００４０】
一方、粘着層５１の対峙面５１ａとなる基面領域４１には、必要に応じてコーティング層を設ける。コーティング剤には、例えばシリコーン樹脂を使用することができる。シリコーン樹脂には、溶剤型、無溶剤型、エマルジョン型などがある。例えば、ＵＶシリコーンが使用できる。
【００４１】
続いて、切り分けられたシート本体４を断裁線４４ａ，・・・において断裁して、基面領域４１と、表面領域４２と、枠部領域４３とに切り離す。そして、図３(ｂ)に示すように、基面領域４１の上に表面領域４２を貼り合わせる。
【００４２】
この貼り合わせによって、図２（ａ）に示した粘着層５１は対峙面５１ａに密着し、接着層５２は対峙面５２ａに密着することになる。また、図２（ｂ）に示すように、下面４ｂ側では、枠部領域４３の枠部３となる範囲に接着剤を塗布して接着層５３を形成する。
【００４３】
図３(ｂ)に示すように、表面領域４２の上に枠部領域４３を貼り合わせ、接着層５３に対峙面５３ａを密着させた状態を上から見た平面図が、図３（ａ）となる。
【００４４】
続いて、基面領域４１と表面領域４２と枠部領域４３とが積層された状態のまま、ダイカッタで切込みやミシン目を入れる工程に移行する。
【００４５】
枠部領域４３では、枠部３の形状に合わせて枠部領域４３のみをダイカッタで切り込んだ切込４３１を設ける。この切込４３１によって、表面領域４２に接着された枠部３と、非接着状態の余剰部４３２とが分離され、余剰部４３２は取り除かれる。
【００４６】
また、表面領域４２のシール面４２２においては、シール片部２１の周囲にダイカッタで切取線２２３を切り込む（図４参照）。この切取線２２３によって、シール片部２１とシール枠部２２とが分離される。
【００４７】
一方、折目線４５Ａ−４５Ｅとなる位置には、ミシン目を入れる。このミシン目は、二層構造となっている箇所では下層まで貫通するように設けられる。ミシン目を入れることによって、折目線４５Ａ−４５Ｅでの折り曲げがしやすくなる。
【００４８】
そして、底面４２３の折目線４５Ｅよりも端縁側の範囲に、線状に接着剤を塗布してライン接着部５４，５４を形成する。続いて、図３(ｃ)に示すように、基面領域４１及び表面領域４２を折目線４５Ａ−４５Ｅで山折りに折り曲げる。
【００４９】
最後に、底面４２３のライン接着部５４，５４に、重ね面４２４を貼り合わせることによって写真立て１が完成する。
【００５０】
次に、図１，４を参照しながら写真立て１の使用方法について説明する。配布時の写真立て１は、折目線４５Ｃ，４５Ａ，４５Ｅで折り曲げられて、写真側部１１とシール側部１２とが重なったシート状になっている。
【００５１】
そして、配布されたシート状の写真立て１を受け取った利用者は、折目線４５Ｄ，４５Ｂで折り曲げて、図１に示すように三角柱状に組み立てる。このように組み立てられた写真立て１の写真側部１１には、写真プリントＰを枠部３に挿し込んで飾ることができる。
【００５２】
ここで、この枠部３の表面には、色や図柄が印刷されている。このままの状態で写真立て１として使用することもできるが、本実施の形態の写真立て１であれば、枠部３にシール片部２１，・・・を貼り付けるなどして、利用者の好みに飾ることができる。
【００５３】
具体的に説明すると、組み立て直後の写真立て１のシール側部１２は、図１（ｂ）に示す状態となっている。この状態では、シール片部２１，・・・の絵図と、シール枠部２２の絵図２２２，・・・とを楽しむことができる。
【００５４】
さらに、目印２２１が印刷された右上隅から、図４に示すようにシール枠部２２を捲ると、その下から基面印刷部２３が現れる。この基面印刷部２３には、シール枠部２２の絵図２２２，・・・とは異なる絵図２３１，・・・が印刷されており、シール片部２１，・・・の絵図と基面印刷部２３の絵図２３１，・・・という新たな組み合わせを楽しむことができる。
【００５５】
さらに、シール片部２１を剥がすと、シール片部２１の裏面２１ｂの絵図を楽しむことができる。そして剥がしたシール片部２１は、枠部３の上や写真プリントＰの上など、利用者の思うままに貼り付けていくことができる。
【００５６】
次に、本実施の形態の写真立て１及びその製作方法の作用について説明する。
【００５７】
このように構成された本実施の形態の写真立て１は、写真プリントＰを飾る面となる写真側部１１の他に、シール部２が設けられたシール側部１２を備えている。
【００５８】
このため、利用者は、シール片部２１を捲って写真プリントＰの周囲の枠部３や写真プリントＰ上に貼るなどして、写真プリントＰを単に飾るだけでなく、個性的な装飾を能動的に楽しむことができる。
【００５９】
また、表面側に印刷が施された基面印刷部２３の上に印刷が施されたシール片部２１やシール枠部２２が積層されていれば、シール片部２１やシール枠部２２を捲る前には、表面（シール面４２２）の絵図等を楽しむことができる。
【００６０】
さらに、シール片部２１やシール枠部２２を捲ると、基面印刷部２３の絵図２３１，・・・が新たに現れて楽しむことができる。特に、シール枠部２２のみを捲ると、基面印刷部２３の絵図２３１，・・・の上にシール片部２１，・・・が貼り付けられた状態となり、最初のシール枠部２２との組み合わせとは異なる組み合わせを楽しむことができる。
【００６１】
そして、シート本体４を両面印刷することによって製作される写真立て１であれば、絵図や図柄や文字情報等の多くのデータを所望する範囲に自由に印刷して掲載することができる。
【００６２】
また、シート本体４を印刷する工程の延長線上で、シート本体４を断裁して貼り合わせることで、シール部２を備えた写真立て１を容易に製作することができる。
【００６３】
さらに、写真立て１にシール部２が一体に組み込まれていれば、シールを別途用意しなければならない場合と比べてセットする手間が省けるため、製作費を削減することができる。そして、シールの入れ忘れや紛失も防ぐことができる。
【００６４】
また、写真立て１にシール片部２１が付帯しているため、写真プリントＰを飾る時だけでなく、利用者の気が向いたときに、随時、枠部３にシール片部２１を貼っていき、飾り付けを変化させることができる。さらに、そのようなシール片部２１を貼る動作も、シール側部１２から写真側部１１に移動させるだけなので、手早く行うことができる。
【実施例】
【００６５】
次に、前記実施の形態で説明した写真立て１とは別の形態の写真立て１Ａについて、図５−７を参照しながら説明する。なお、前記実施の形態で説明した内容と同一乃至均等な部分の説明については、同一用語や同一符号を付して説明する。
【００６６】
前記実施の形態では、剥離部としてシール部２が設けられた写真立て１について説明したが、本実施例では、剥離部として扉状部６が設けられる写真立て１Ａについて説明する。なお、剥離部以外の構成は、２つの写真立て１，１Ａは同じであるため、重複する説明は省略する。
【００６７】
この扉状部６は、図５に示すように、写真立て１Ａの第２側面部としての扉側部１４に設けられる。また、扉状部６は、扉側部１４の略中央に設けられる扉部６１と、その周囲の扉枠部６２とによって主に構成される。
【００６８】
扉部６１の上半と扉枠部６２との間は切取線６２１によって切り離されており、扉部６１の下半と扉枠部６２との間はミシン目６２２によって部分的に繋がっている。
【００６９】
なお、このミシン目６２２に代えて、間隔を置いて点状にアンカット部を残して切り込みを入れた構成にすることもできる。そして、この扉部６１を捲ると、下から基面印刷部６３が現れることになる。
【００７０】
このような写真立て１Ａは、１枚の長方形のシート本体４Ａから製作することができる。図６には、左側から、写真側部１１及び扉側部１４の表面並びに底面部１３となる表面領域４２Ａと、写真側部１１及び扉側部１４の基面となる基面領域４１Ａとが図示されている。
【００７１】
この表面領域４２Ａには、基面領域４１Ａの上に重ねられる支持面４２１及び扉面４２５と、底面部１３となる底面４２３及び重ね面４２４とが形成される。
【００７２】
この表面領域４２Ａの支持面４２１には、接着層５２が設けられ、扉面４２５には四角枠状に弱接着剤が塗布された弱接着層５５が設けられる。この弱接着剤は、パリパリと音を立てて手で剥がすことができる程度の弱い接着剤で、再接着は不能である。
【００７３】
そして、基面領域４１Ａの写真側部１１側は接着層５２の対峙面５２ａとなり、扉側部１４側は弱接着層５５の対峙面５５ａとなる。この写真立て１Ａを製作する際には、図７に示すように、基面領域４１Ａの上に表面領域４２Ａを貼り合わせ、表面領域４２Ａの上に枠部領域４３を貼り合わせる。
【００７４】
続いて、基面領域４１Ａと表面領域４２Ａと枠部領域４３とが積層された状態のまま、ダイカッタで切込みやミシン目を入れる工程に移行する。すなわち、表面領域４２Ａの扉面４２５においては、扉部６１の周囲にダイカッタで切取線６２１及びミシン目６２２を切り込む。この切取線６２１及びミシン目６２２によって、扉部６１は捲って開けるようになる。
【００７５】
次に、図５を参照しながら写真立て１Ａの使用方法及び作用について説明する。本実施例の写真立て１Ａにおいても、配布されて写真プリントＰを飾るまでは、前記実施の形態の写真立て１と同じである。
【００７６】
本実施例の写真立て１Ａは、扉側部１４において、まず扉部６１及び扉枠部６２の表面に印刷された絵図や図柄や文字情報などを楽しむことができる。また、扉部６１を開くと、基面印刷部６３に印刷された絵図等を楽しむことができる。
【００７７】
さらに、扉枠部６２をパリパリと音を立てながら剥がすという楽しみも得ることができる。そして、扉枠部６２を剥がすと、基面印刷部６３の全面が現れるので、さらに新しい絵図等を楽しむことができる。
【００７８】
このように扉部６１を開いたり、扉枠部６２を捲ったりすることで、利用者は、写真プリントＰを飾るだけでなく、能動的に写真立て１Ａを楽しむことができる。
【００７９】
なお、他の構成及び作用効果については、前記実施の形態と略同様であるので説明を省略する。
【００８０】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００８１】
例えば、前記実施の形態及び実施例では、表面領域４２（４２Ａ）に底面４２３及び重ね面４２４を設けたが、これに限定されるものではなく、基面領域側に底面部を構成する部分を設けることができる。
【００８２】
また、前記実施の形態及び実施例では、単体で配布される写真立て１，１Ａについて説明したが、これに限定されるものではなく、雑誌や本の綴込みなどにすることもできる。
【符号の説明】
【００８３】
１              写真立て
１１            写真側部（第１側面部）
１２            シール側部（第２側面部）
１３            底面部
２              シール部（剥離部）
２１            シール片部
２２            シール枠部
２３            基面印刷部
３              枠部
４              シート本体
４ａ            上面
４１            基面領域
４２            表面領域
４２２          シール面
４３            枠部領域
５２            接着層
１Ａ            写真立て
１４            扉側部（第２側面部）
４Ａ            シート本体
４１Ａ          基面領域
４２Ａ          表面領域
６              扉状部（剥離部）
Ｐ              写真プリント
Ｐ１            側縁（縁部）
Ｐ２            下縁（縁部）
【図１】
2016049278.tif 000003
【図２】
2016049278.tif 000004
【図３】
2016049278.tif 000005
【図４】
2016049278.tif 000006
【図５】
2016049278.tif 000007
【図６】
2016049278.tif 000008
【図７】
2016049278.tif 000009